(57)【要約】【課題】カーテンに並行させるようにしてサブシートを吊り下げるに際して、高コストを伴うような特殊カーテンレールや専用のサブシートを必要とせず、既設のカーテンレールに対する取り付け及び取り外しが簡単に行えるようにする。【解決手段】カーテンレール５に上方から被せて挟持保持させるブラケット２と、ブラケット２に取り付けてカーテンレール５に吊り下げるカーテン６と並行するようにサブシート７を垂下保持させるクリップ３とを有し、ブラケット２にはカーテンレール５の側方でクリップ３を差し込む嵌合口部１８が設けられ、クリップ３にはブラケット２の嵌合口部１８に嵌る被嵌合部３０とこの被嵌合部３０から二股状に突出して開閉自在とされた一対のシート挟持片３２，３３とが設けられている。【選択図】図１
2013233209.tif 000002
【特許請求の範囲】
【請求項１】
カーテンレールに対して長手方向の一部に上方から被せて挟持保持させるブラケットと、前記ブラケットに取り付けて前記カーテンレールに吊り下げるカーテンと並行するようにサブシートを垂下保持させるクリップとを有し、
前記ブラケットには前記カーテンレールの側方で前記クリップを差し込む嵌合口部が設けられ、
前記クリップには前記ブラケットの嵌合口部に嵌る被嵌合部とこの被嵌合部から二股状に突出して開閉自在とされた一対のシート挟持片とが設けられている
ことを特徴とするサブシートの吊り装置。
【請求項２】
前記クリップにおいて、前記被嵌合部は前記ブラケットの嵌合口部へ未嵌合時には前記一対のシート挟持片を互いに股開きさせた状態に支持しており、前記嵌合口部へ嵌合時には一対のシート挟持片を弾発力に抗しながら弾性変形して相互接近させる構成となっていることを特徴とする請求項１記載のサブシートの吊り装置。
【請求項３】
前記クリップの被嵌合部は前記ブラケットの嵌合口部と同等長さに形成されていると共に前記一対のシート挟持片は前記ブラケットの嵌合口部よりも小幅に形成されていることにより、前記被嵌合部には一対のシート挟持片の両脇で幅方向外方へ延出して嵌合口部への嵌合時に嵌合口部内に係合する抜止部が形成されていることを特徴とする請求項１又は請求項２記載のサブシートの吊り装置。
【請求項４】
前記クリップには、前記ブラケットの嵌合口部へ嵌合時に前記カーテンレールのレール長手方向に沿って一方向のみの脱出を許容し逆方向への脱出を阻止するズレ止め突起が前記被嵌合部の一端側で突出して設けられていることを特徴とする請求項１乃至請求項３のいずれか１項に記載のサブシートの吊り装置。
【請求項５】
前記クリップには、前記ブラケットの嵌合口部へ嵌合時に前記カーテンレールのレール長手方向に沿った双方向の移動を阻止する一対のズレ止め突起が前記被嵌合部の両端側で突出して設けられていることを特徴とする請求項１乃至請求項３のいずれか１項に記載のサブシートの吊り装置。
【発明の詳細な説明】
【技術分野】
【０００１】
本発明は、サブシートの吊り装置に関するものである。
【背景技術】
【０００２】
フォークリフト等が通行できるような開口の大きな工場の出入口などにおいて、工場内の冷気や暖気が工場外へ流出するのを防止し、また風雨、塵埃、或いは虫や鳥などが工場外から工場内へ侵入するのを防止するために、樹脂シート等により形成されたカーテンを開閉自在に設置することは知られている。この種のカーテンでは、空気等の流通を可及的に遮断するためのものであるため、カーテンの上縁と、このカーテンを吊すカーテンレールとの上下間に生じる隙間を塞ぐのが有益とされている。
【０００３】
そこで、カーテンレールの側面に接着剤や両面テープを用いて隙間塞ぎ用の丈の短い垂れ幕（以下、「サブシート」と言う）を貼り付け、カーテンに並行させるように吊り下げることにより、カーテンの上縁と、このカーテンを吊すカーテンレールとの上下間に生じる隙間を塞ぐことがあった。
なお、隙間塞ぎに用いるためのものではないが、従来、レールの側面に対し、レール長手方向に沿わせて横向き（水平方向）に開口する側面レール部を一体に備えたカーテンレールが提案されている（例えば、特許文献１等参照）。
【先行技術文献】
【特許文献】
【０００４】
【特許文献１】特開平８−２１５０２９号公報
【発明の概要】
【発明が解決しようとする課題】
【０００５】
カーテンレールの側面に接着剤を用いてサブシートを吊り下げる場合には、接着剤の乾燥及び硬化に長い時間が必要で、取り付けの作業性が悪いという問題があった。また、接着剤を用いる場合だけでなく、両面テープを用いる場合も、満足した強い接着強度を得にくいことがあり、また接着強度の経年劣化も生じることから、サブシートの剥離や落下の問題があった。更には、接着剤や両面テープを用いてサブシートをカーテンレールの側面に一旦貼り付けてしまうと、貼り直しが簡単には行えないという問題もあった。
【０００６】
なお、側面レール部を一体に備えた前記従来公知のカーテンレールを利用して、側面レール部によってサブシートを吊り下げることが考えられる。しかし、この側面レール部付きのカーテンレールは特殊な用途に用いるためのものであることから、一般型（汎用）のカーテンレールに比べて高コストになる。またサブシートについても、その上縁部には側面レール部に吊り下げるための構造が必要で、専用のサブシートを製作しなければならないため、高コスト化を益々助長するものとなっていた。加えて、側面レール部付きの特殊カーテンレールは、既設のカーテンレールを取り外したうえで、同じ場所へ取り付け直すという面倒な作業が必要であった。
【０００７】
本発明は、上記事情に鑑みてなされたものであって、カーテンに並行させるようにしてサブシートを吊り下げるに際して、高コストを伴うような特殊カーテンレールや専用のサブシートを必要とせず、既設のカーテンレールに対する取り付け及び取り外しが簡単に行えるようにしたサブシートの吊り装置を提供することを目的とする。
【課題を解決するための手段】
【０００８】
前記目的を達成するために、本発明は次の手段を講じた。
即ち、本発明に係るサブシートの吊り装置は、カーテンレールに対して長手方向の一部に上方から被せて挟持保持させるブラケットと、前記ブラケットに取り付けて前記カーテンレールに吊り下げるカーテンと並行するようにサブシートを垂下保持させるクリップとを有し、前記ブラケットには前記カーテンレールの側方で前記クリップを差し込む嵌合口部が設けられ、前記クリップには前記ブラケットの嵌合口部に嵌る被嵌合部とこの被嵌合部から二股状に突出して開閉自在とされた一対のシート挟持片とが設けられていることを特徴とする。
【０００９】
前記クリップにおいて、前記被嵌合部は前記ブラケットの嵌合口部へ未嵌合時には前記一対のシート挟持片を互いに股開きさせた状態に支持しており、前記嵌合口部へ嵌合時には一対のシート挟持片を弾発力に抗しながら弾性変形して相互接近させる構成とすることができる。
前記クリップの被嵌合部は前記ブラケットの嵌合口部と同等長さに形成されていると共に前記一対のシート挟持片は前記ブラケットの嵌合口部よりも小幅に形成されていることにより、前記被嵌合部には一対のシート挟持片の両脇で幅方向外方へ延出して嵌合口部への嵌合時に嵌合口部内に係合する抜止部が形成されているものとするのが好適である。
【００１０】
前記クリップには、前記ブラケットの嵌合口部へ嵌合時に前記カーテンレールのレール長手方向に沿って一方向のみの脱出を許容し逆方向への脱出を阻止するズレ止め突起が前記被嵌合部の一端側で突出して設けられたものとすることができる。
また、前記クリップには、前記ブラケットの嵌合口部へ嵌合時に前記カーテンレールのレール長手方向に沿った双方向の移動を阻止する一対のズレ止め突起が前記被嵌合部の両端側で突出して設けられたものとしてもよい。
【発明の効果】
【００１１】
本発明に係るサブシートの吊り装置では、カーテンに並行させるようにしてサブシートを吊り下げるに際して、高コストを伴うような特殊カーテンレールや専用のサブシートは不要であり、既設のカーテンレールに対する取り付け及び取り外しを簡単に行えるものとなっている。
【図面の簡単な説明】
【００１２】
【図１】図２のＡ−Ａ線断面図（正面断面図）である。
【図２】本発明に係るサブシートの吊り装置を示した側面図である。
【図３】カーテンレールにブラケットを取り付ける様子を示した正面断面図である。
【図４】カーテンレールにブラケットを取り付けた状態の正面断面図である。
【図５】ブラケットにクリップを介してサブシートを取り付ける様子を示した正面断面図である。
【図６】クリップを示したものであって（Ａ）は正面図であり（Ｂ）は側面図である。
【図７】クリップを示したものであって（Ａ）は被嵌合部側から見た斜視図であり（Ｂ）はシート挟持片側から見た斜視図である。
【図８】ズレ止め突起が両側に設けられたクリップ（第２実施形態）を被嵌合部側から示した斜視図である。
【図９】ズレ止め突起を備えないクリップ（第３実施形態）を被嵌合部側から示した斜視図である。
【図１０】サブシート用の滑り止めを強化したクリップ（第４実施形態）を示した側面図である。
【発明を実施するための形態】
【００１３】
以下、本発明の実施の形態を、図面に基づき説明する。
図１乃至図７は、本発明に係るサブシートの吊り装置１を示している。使用状態を示した図１及び図２から明らかなように、本発明に係る吊り装置１はブラケット２とクリップ３とを有したものであって、一般的なカーテンレール５を利用して、このカーテンレール５で吊り下げるカーテン６に並行させるようにサブシート７の吊り下げを可能にしたものである。この際、取付手順の一例を示した図３乃至図５から明らかなように、ブラケット２をカーテンレール５に取り付ける一方で、サブシート７にクリップ３を取り付け、このクリップ３を、サブシート７と一緒にブラケット２に保持させるようにする。
【００１４】
この吊り装置１では、既設のカーテンレール５をいちいち取り外さなくとも、そのまま取り付けや取り外しが行える構造となっている。なお、このカーテンレール５は、工場の建物躯体などに対して既設であることが限定されるものではなく、サブシート７の吊り下げを行うに際して新たに取り付けるものであってもよい。また、言うまでもなく、カーテンレール５には、側面レール部を備えたような従来公知の特殊カーテンレール(前記特許
文献１等)をわざわざ用いる必要はない。
【００１５】
まず、ブラケット２について説明する。ブラケット２は、カーテンレール５のレール長手方向で短く（例えば３ｃｍ前後）形成されたもので、１本のカーテンレール５につきそのレール長手方向に沿って互いに所定間隔を離しながら複数個を用いるようにする。このブラケット２は、例えば、金属（アルミ合金、鉄、バネ板材、ステンレス等）により形成するのが好適である。また、樹脂により形成することもできる。
【００１６】
ブラケット２は、カーテンレール５に対してその上方から被せるようにすることで、このカーテンレール５の両側面を挟持する状態に保持させるものである。そのため、このブラケット２は、カーテンレール５の上面を横切るように用いる上板部１５と、この上板部１５の一端部に下向き折返し状（Ｕターン状）に設けられたフック部１６と、上板部１５の他端部に下方屈曲状に設けられた無理嵌め部１７とを有したものとなっている。
【００１７】
上板部１５は上方へ、無理嵌め部１７はフック部１６から離す方向へ、それぞれそれらの板面を反らすようにして若干の弾性変形が可能に形成されている。従って、このブラケット２は、これら上板部１５や無理嵌め部１７の弾性変形により、フック部１６と無理嵌め部１７との相互間隔を拡大させたり、拡大させた相互間隔を収縮（復元）させたりできるように弾性変形可能となっている。
【００１８】
このような弾性変形により、カーテンレール５の両側面に設けられた一対の取付用挟持溝５ａに、フック部１６を係合させ且つ無理嵌め部１７を押圧させるようにして、カーテンレール５に対するブラケット２の挟持作用を生じさせる。
そのうえで、このブラケット２は、フック部１６又は無理嵌め部１７に対して嵌合口部１８が設けられ、また、この嵌合口部１８の下側開口縁に対してシート支持部１９が設けられている。
【００１９】
嵌合口部１８は、クリップ３の上縁部（後述の被嵌合部３０）を差し込んで保持できるように設けられたものである。本実施形態では、無理嵌め部１７に対し、その下方側へ延長される配置で嵌合口部１８が設けられたものとしてある。
この嵌合口部１８は、カーテン６に対して下方ほど遠ざかるように下斜め外方（図１の右斜め下方）へ向けて開口したものとなっている。この嵌合口部１８には、上部側の開口縁（即ち、上部開口縁）に沿うようにして上縁係止部２３が設けられており、また下部側の開口縁（即ち、下部開口縁）に沿うようにして下縁係止部２４が設けられている。
【００２０】
これら上縁係止部２３及び下縁係止部２４は、嵌合口部１８における上下方向の開口を絞る（狭くする）ように、当該嵌合口部１８の上部開口縁及び下部開口縁からそれぞれ相互近接方向（対向方向）へ段差状に屈曲することで形成されたものとなっている。
シート支持部１９は、ブラケット２の嵌合口部１８に対し、その下側開口縁から下斜め外方（図１の右斜め下方）へ向けて突出するようにして設けられている。本実施形態では、嵌合口部１８の下縁係止部２４により嵌合口部１８の開口が絞られた状態を維持させるように、下縁係止部２４の上面と面一に繋がるようにしてある。しかし、下縁係止部２４との連続性を生じさせなければならない理由は特になく、嵌合口部１８の下側などから別途（下縁係止部２４とは分離して）、突出させるように設けてもよい。
【００２１】
ブラケット２は、このような嵌合口部１８及びシート支持部１９を備える構成であるため、嵌合口部１８へクリップ３を取り付け、このクリップ３でサブシート７を垂下保持させたときには、このサブシート７を、シート下端ほどカーテン６から離反するように保持することができる。更に言えば、この状態に保持されたサブシート７は、カーテン６に対して下方ほど遠ざかるように突出しているシート支持部１９で、シート下面（カーテン６を向く面）を当接保持されるので、サブシート７がカーテン６から離反する状態は物理的に保持されたものとなる。
【００２２】
次に、クリップ３について説明する。クリップ３は、図６及び図７に示すように、ブラケット２の嵌合口部１８に嵌る被嵌合部３０と、この被嵌合部３０から二股状に突出して開閉自在とされた一対のシート挟持片３２，３３とを有している。
このクリップ３は、例えばＰＯＭ（ポリアセタール）などの樹脂材により一体形成されている。形成素材とする樹脂材はＰＯＭに限定されるものではないが、ＰＯＭであればそ
の特性である「機械的強度に優れ（引張りや曲げに強く、耐磨耗性があり且つ強靭）、吸振性や防音性、弾性、低摩擦性が豊富であり、耐候性（耐熱性や耐寒性、耐薬品性、低吸湿性等）にも優れている」点をフルに活かせることになる。
【００２３】
被嵌合部３０は鞍形（Ｕ字状）に形成されており、一対のシート挟持片３２，３３を、それらの突出端側ほど離反させるように互いに股開きさせた状態で連結している。この被嵌合部３０は、一対のシート挟持片３２，３３を対向押圧することで、弾発力に抗しながら弾性変形を起こすようになって、一対のシート挟持片３２，３３を相互接近させることができる構成である。一対のシート挟持片３２，３３を相互接近させた後、対向押圧を解除すれば、被嵌合部３０は一対のシート挟持片３２，３３を元の股開き状態に戻し、再び対向押圧しない限りこの股開き状態を維持する。
【００２４】
被嵌合部３０が呈している鞍形は、一対のシート挟持片３２，３３が股開きしている状態のままではブラケット２の嵌合口部１８よりも若干大きいが、一対のシート挟持片３２，３３を相互接近させた状態で嵌合口部１８へ押し付けることで、嵌合口部１８に無理嵌め状に入り込む大きさとされている。
すなわち、このクリップ３において被嵌合部３０をブラケット２の嵌合口部１８へ押し込むようにすることで、互いに股開き状態となっている一対のシート挟持片３２，３３が弾発力に抗しながら弾性変形しつつ相互接近し、嵌合口部１８に嵌合するようになっている。
【００２５】
本実施形態では、ブラケット２における嵌合口部１８の長さ（カーテンレール５の長手方向）に対し、クリップ３における被嵌合部３０の長さＬを同等の寸法に形成してある。そのうえで、ブラケット２における嵌合口部１８の長さ（即ち、被嵌合部３０の長さＬと略同じ）に対し、一対のシート挟持片３２，３３の幅寸法Ｗを小幅に形成してある。その結果、被嵌合部３０は、シート挟持片３２，３３の幅方向両脇へ向けて延出される形状とした。この延出部分を抜止部３４としてある。また、被嵌合部３０には、シート挟持片３２，３３の幅寸法Ｗに対応させた位置（抜止部３４を区画する位置）にスリット３５を形成させてある。
【００２６】
このような被嵌合部３０では、一対のシート挟持片３２，３３を相互近接させても抜止部３４まで弾性変形が及び難くなっているので、この被嵌合部３０をブラケット２の嵌合口部１８に嵌合したとき、抜止部３４が嵌合口部１８内で上縁係止部２３及び下縁係止部２４と係合するようになる。これにより、嵌合口部１８へ一旦嵌合させた被嵌合部３０が嵌合方向と逆向きに抜け出すことが防止されるようになる。また、嵌合口部１８に被嵌合部３０が嵌合しているとき、抜止部３４による係合作用で被嵌合部３０がガタツキを生じないという作用も得られるようになっている。
【００２７】
なお、スリット３５は、被嵌合部３０において一対のシート挟持片３２，３３に対応する部分での弾性変形（相互接近）を生じ易くさせ、且つ一対のシート挟持片３２，３３を股開き状態へ復帰させ、以後この状態に維持させる作用を確実にする利点もある。
被嵌合部３０には、更に、長さ方向の一端側（一方の抜止片３４）に対してズレ止め突起３７がフランジ状に突出して設けられている。そのため、ブラケット２の嵌合口部１８へクリップ３の被嵌合部３０を嵌合時に、カーテンレール５のレール長手方向に沿ってクリップ３を一方向に移動させることが許容され、逆方向の移動は、ズレ止め突起３７が嵌合口部１８の端面に衝突することで阻止されるものとなる。すなわち、嵌合口部１８に対する被嵌合部３０の脱出方向が一方向に限定されることになる。
【００２８】
ズレ止め突起３７は、ブラケット２の嵌合口部１８に対し、クリップ３の被嵌合部３０を位置決めするうえでも大きな効果を生じるものである。
一対のシート挟持片３２，３３において、本実施形態では、一方のシート挟持片３２に対して、その突出端に、他方のシート挟持片３３の突出端と噛合するように屈曲した嘴片３８が形成されたものとしてある。この嘴片３８が形成されていることで、一対のシート挟持片３２，３３でサブシート７を挟持したときに、嘴片３８がサブシート７の片面に食い込むようになって挟持面圧を高くし、滑り止め作用（サブシート７のズレ下がりや落下を防止する作用）を生じさせることができる。
【００２９】
次に、サブシート７について説明する。サブシート７は、カーテンレール５に吊り下げられるカーテン６と、カーテンレール５との上下間に生ずる隙間Ｓを閉鎖することのできる高さを有しつつ、カーテンレール５のレール長手方向に長い帯状に形成されたものである。このサブシート７は、前記したように、カーテンレール５のレール長手方向に設けられる複数のブラケット２により、クリップ３を介してカーテンレール５に沿いつつ垂下されるように保持される。
【００３０】
このサブシート７は、シート上縁部に殊更特別な吊り下げ構造を要しない。そのため、カーテン６の切れ端などをはじめとして、適宜のシート材をサブシート７としてそのまま利用することも可能である。
なお、カーテン６とカーテンレール５との上下間に生ずる隙間Ｓ（図１参照）は、カーテンレール５に沿って走行自在に保持されるランナー４０の相互隣接間に形成される。すなわち、ランナー４０は、レール溝４１内に嵌るベアリング部４２（シュー等の場合もある）からカーテン吊り用のスナップ部４３（リングやフック等の場合もある）が下突出状に設けられた構造となっており、このスナップ部４３に対して、カーテン６の上縁部に所定間隔で設けられた吊り孔部４４（ハトメ部）を係止させるようにする。
【００３１】
そのため、吊り孔部４４の相互間隔に応じて配置されることとなるランナー４０とランナー４０との隣接間では、カーテン６の上縁部が真っ直ぐに延びたり撓んだり（折りヒダを生じて畳まれたり）しつつも、殊に真っ直ぐに延びたときに前記した隙間Ｓが形成されるので、サブシート７を設けない場合には、この隙間Ｓが空気流通の起こる原因となっている。
【００３２】
以上、詳説したところから明らかなように、本発明に係るサブシートの吊り装置１では、まず、工場の建物躯体などに既設状態となっているカーテンレール５に対し、図３及び図４に示すように、レール長手方向に所定間隔をおいてブラケット２を上から被せるように取り付ける。ブラケット２は、カーテンレール５の両側面に設けられた一対の取付用挟持溝５ａに、フック部１６を係合させ且つ無理嵌め部１７を押圧させるようにして、弾性力を伴った挟持作用を生じ、ガタツキや位置ズレなどを生じることなく、不動に保持される。
【００３３】
そして、図５に示すように、クリップ３における一対のシート挟持片３２，３３によってサブシート７の上縁部を挟持させた状態にし、このクリップ３の被嵌合部３０を各ブラケット２の嵌合口部１８に嵌め込むようにする。ただこれだけの操作で、ブラケット２（カーテンレール５）に対するサブシート７の垂下保持が完了する。
サブシート７は、カーテン６に対して下方ほど遠ざかるように突出しているシート支持部１９で、シート下面（カーテン６を向く面）を当接保持されるので、サブシート７は、カーテン６から離反する状態が保持される。そのため、カーテン６を開閉させる場合でも、このカーテン６が、開閉せずに常に吊り下げ状態とされているサブシート７と接触するといったことはなく、カーテン６の開閉が重くなる（操作し難くなる）といった問題も生じない。
【００３４】
また、カーテン６とサブシート７とが接触しないので、カーテン６及びサブシート７のいずれにも、擦り傷や折れ、欠け、裂傷などが生じることがない。従って、カーテン６及びサブシート７が擦り傷等によって色的な濁りを生じたり、カビの発生で外観劣化したりすることも防止できる利点がある。
なお、サブシート７が経年劣化や破損などを起こした場合などにあって、新品のサブシート７と交換するには、各ブラケット２ごとに、クリップ３をカーテンレール５の長手方向（抜止片３７が邪魔しない方向）に沿って移動させ、各ブラケット２の嵌合口部１８からクリップ３の被嵌合部３０を脱出させるようにすればよい。その後、新品のサブシート７にクリップ３を付け直して、このクリップ３を再びブラケット２に保持させればよい。
【００３５】
勿論、カーテンレール５から各ブラケット２を外した後、サブシート７の交換を行って、ブラケット２をカーテンレール５へ付け直すといった手順を採用してもよい。
図８は、クリップ３の第２実施形態を示している。この第２実施形態のクリップ３は、被嵌合部３０の両端側に対してズレ止め突起３７が突出して設けられたものとなっている
。従って、ブラケット２の嵌合口部１８に対し、クリップ３の被嵌合部３０を一義的に位置決めできる利点がある。また、ブラケット２の嵌合口部１８へクリップ３の被嵌合部３０を一旦嵌合すれば、カーテンレール５のレール長手方向に沿ってクリップ３が移動することはないので、使用中にサブシート７の位置ズレするようなことも決して起こらない。
【００３６】
図９は、クリップ３の第３実施形態を示している。この第３実施形態のクリップ３は、被嵌合部３０にズレ止め突起３７が設けられていないものである。従って、ブラケット２の嵌合口部１８へ被嵌合部３０を嵌合した後でも、カーテンレール５のレール長手方向に沿ってクリップ３を双方向へ自在に移動させることができる。それ故、カーテンレール５に対するブラケット２の配置と、サブシート７に対するクリップ３の配置とを完全に一致させることがでないような場合（場所的な制限による干渉があったとき等）でも、ブラケット２とクリップ３とを多少ずらしたまま、嵌合保持させることができる利点がある。
【００３７】
図１０は、クリップ３の第４実施形態を示している。この第４実施形態のクリップ３は、一方のシート挟持片３２に対して、その内面側に滑り止め作用を得るための波状歯部５０が設けられたものとなっている。従って、嘴片３８による滑り止め作用を一層高める利点がある。なお、この波状歯部５０を設ける場合、嘴片３８を省略することも可能である。また、波状歯部５０は、両方のシート挟持片３２，３３に対してそれらの内面に設けるようにしてもよい。
【００３８】
ところで、本発明は、前記実施形態に限定されるものではなく、実施の形態に応じて適宜変更可能である。
例えば、ブラケット２において、フック部１６及び無理嵌め部１７の両方に、嵌合口部１８を設けるようにしてもよいし、フック部１６のみに嵌合口部１８を設けるようにしてもよい。
【００３９】
また、ブラケット２においてシート支持部１９は省略することも可能である。
ブラケット２は、フック部１６と無理嵌め部１７との間で弾性力を伴ってカーテンレール５を挟持するような構造に限定されるものではなく、ネジ式のクランプ構造にしたり、或いはネジ止め構造や接着構造などを採用して、カーテンレール５へ取り付ける構造にしたりしてもよい。
【００４０】
クリップ３は、被嵌合部３０をブラケット２の嵌合口部１８に対して嵌合させることで、一対のシート挟持片３２，３３が相互接近（サブシート７の挟持）することが限定されるものではない。すなわち、被嵌合部３０がトグルジョイント構造やバネなどを備えたものとして、これらで一対のシート挟持片３２，３３が相互接近状態（サブシート７の挟持状態）を発生できるものとしてもよい。
【００４１】
本発明は、工場などで採用される大型のカーテンを対象とすることが限定されるものではなく、一般用の標準サイズのカーテンを対象として実施することも可能である。
カーテン６やサブシート７は、それぞれ布地製とすることも可能である。
カーテンレール５に対してサブシート７を保持させる手順は、特に限定されるものではない。例えば、取り外したカーテンレール５、又は新品のカーテンレール５に対し、予めブラケット２を取り付けておき、その後、カーテンレール５を建物躯体などへ取り付ける手順としてもよい。
【符号の説明】
【００４２】
１  吊り装置
２  ブラケット
３  クリップ
５  カーテンレール
５ａ  取付用挟持溝
６  カーテン
７  サブシート
１５  上板部
１６  フック部
１７  無理嵌め部
１８  嵌合口部
１９  シート支持部
２３  上縁係止部
２４  下縁係止部
３０  被嵌合部
３２，３３  シート挟持片
３４  抜止部
３５  スリット
３７  ズレ止め突起
３８  嘴片
４０  ランナー
４１  レール溝
４２  ベアリング部
４３  スナップ部
４４  吊り孔部
５０  波状歯部
Ｓ  隙間
【図１】
2013233209.tif 000003
【図２】
2013233209.tif 000004
【図３】
2013233209.tif 000005
【図４】
2013233209.tif 000006
【図５】
2013233209.tif 000007
【図６】
2013233209.tif 000008
【図７】
2013233209.tif 000009
【図８】
2013233209.tif 000010
【図９】
2013233209.tif 000011
【図１０】
2013233209.tif 000012